(57)【要約】【課題】取付杆と取付基板の接合強度など種々の面における強度が保持でき、かつコストの低減化が図れる樋支持具を提供することにある。【解決手段】樋支持具１は、一端に樋支持具本体３０を連結、支持し、他端に基部片１１を設けた取付杆１０と、被取付体に取付固定される取付基板２０とを備え、該取付杆１０の基部片１１を、該取付基板２０に形成された凹溝部２１に嵌合して、接合されており、取付杆１０の基部片１１は、凹溝部２１の底面に密着嵌合される凹溝体にて構成され、取付杆１０と取付基板２０のいずれか一方には、基部片１１を構成する凹溝体を取付基板２０の凹溝部２１に嵌合したときに溝長手方向の位置決めをするための当止め部１５（１２ａａ）が形成されている。【選択図】図１
2010106518.tif 000002
【特許請求の範囲】
【請求項１】
一端に樋支持具本体を連結、支持し、他端に基部片を設けた取付杆と、被取付体に取付固定される取付基板とを備え、該取付杆の基部片を、該取付基板に形成された凹溝部に嵌合して、接合された樋支持具であって、
上記取付杆の基部片は、上記凹溝部に密着嵌合される凹溝体にて構成され、上記取付杆と上記取付基板のいずれか一方には、上記基部片を構成する凹溝体を上記取付基板の凹溝部に嵌合したときに溝長手方向の位置決めをするための当止め部が形成されていることを特徴とする樋支持具。
【請求項２】
請求項１において、
上記取付杆は、上記基部片より延出した支持片を有しており、該支持片の両側端には一対の突条リブが形成されている樋支持具。
【請求項３】
請求項２において、
上記当止め部は、上記一対の突条リブの上記基部片側の終端部で構成され、上記取付基板の上端と当接されるようになっている樋支持具。
【請求項４】
請求項１または２において、
上記当止め部は、上記凹溝部の上端より延びた持上げ突片により構成され、上記取付杆の裏面と当接されるようになっている樋支持具。
【発明の詳細な説明】
【技術分野】
【０００１】
本発明は、軒先に設置される雨樋を支持する樋支持具に関するものである。
【背景技術】
【０００２】
従来のこの種の樋支持具として、軒先に横方向に配設する雨樋を上方から吊り支持するものがあり（例えば、特許文献１を参照）、図７には、同種の樋支持具の斜視図を示している。
【０００３】
図７に示した樋支持具１００は、軒樋用の雨樋Ｔに直接取り付けて雨樋Ｔを上方より吊り支持する樋支持具本体１３０と、樋支持具本体１３０を連結、支持する取付杆１１０と、取付杆１１０を軒先に固定するための取付基板１２０とよりなる。
【０００４】
樋支持具本体１３０は、取付杆１１０との連結用の長孔１３２を有し、取付杆１１０との連結位置を、長孔１３２内のスライドによって変えることで、軒樋用の雨樋Ｔの軒先からの出具合の調節を可能としている。
【０００５】
取付杆１１０は、略Ｌ字状に折曲形成されており、支持片１１２の一端（段落ち形成された部分）は樋支持具本体１３０と長孔１３２を介してボルト等の連結具Ｂで連結され、垂直下方に折曲された他端部（基部片１１１）は軒先、壁等に固定される取付基板１２０の凹溝部１２１に嵌合され、リベットＲで締結されている。
【０００６】
これら樋支持具本体１３０、取付杆１１０、取付基板１２０の各部材が一体となった樋支持具１００は、取付基板１２０をネジなどの取付具Ｓで軒先等に取り付けて、軒先等に固定される。
【特許文献１】特開２００５−７６３６２号公報
【発明の開示】
【発明が解決しようとする課題】
【０００７】
ところで、この樋支持具１００に使用される取付杆１１０は、長板状の基部片１１１を軒先に固定させた状態で、同様に長板状に形成された支持片１１２の先端で雨樋Ｔおよび樋支持具本体１３０を吊り支持する構造であるため、全体として頑丈であることが必要とされる。特に基部片１１１は、建物の軒先などの被取付体に固定される部位であるため、十分な強度が必要とされる。取付基板１２０についても同様に十分な強度が要求され、さらに取付基板１２０と取付杆１１０の基部片１１１とが強固に締結されることも必要とされる。
【０００８】
従来では、取付杆１１０はステンレス材、鋼材等の金属材で製され、かつ、図７に示すように厚肉のものが使用されることが通例であり、そのため取付杆１１０自体の強度は十分に保持されていたが、取付杆１１０のうち取付基板１２０に締結される基部片１１１については、厚肉にすればするほど取付基板１２０との接合性、締結性が落ちるという問題があった。特に、図７の例のように一箇所でリベット締結するものでは、ずれなどが発生しないように締結強度を十分に高める必要がある。よって、取付杆を厚肉とすることは、あらゆる観点からみた場合に最適な強度対策とはいえないし、また、材料のコスト高にもつながっていた。
【０００９】
このような問題に対して、取付杆を薄肉にすることで、取付基板とのずれ防止などについては改善でき、また、材料コストの削減もできるものである。
【００１０】
本発明は、このような問題を解決するために提案されたもので、その目的は、取付杆と取付基板の接合強度など種々の面における強度が保持でき、かつコストの低減化が図れる樋支持具を提供することにある。また、効率よく樋支持具を組立てできるようにすることも、目的に含まれる。
【課題を解決するための手段】
【００１１】
上記目的を達成するために、請求項１に記載の樋支持具は、一端に樋支持具本体を連結、支持し、他端に基部片を設けた取付杆と、被取付体に取付固定される取付基板とを備え、該取付杆の基部片を、該取付基板に形成された凹溝部に嵌合して、接合された樋支持具であって、取付杆の基部片は、凹溝部に密着嵌合される凹溝体にて構成され、取付杆と取付基板のいずれか一方には、基部片を構成する凹溝体を取付基板の凹溝部に嵌合したときに溝長手方向の位置決めをするための当止め部が形成されていることを特徴とする。
【００１２】
請求項２に記載の樋支持具では、取付杆が基部片より延出した支持片を有しており、該支持片の両側端には一対の突条リブが形成されている。
【００１３】
請求項３に記載の樋支持具では、当止め部が一対の突条リブの基部片側の終端部で構成され、取付基板の上端と当接されるようになっている。
【００１４】
請求項４に記載の樋支持具では、当止め部が凹溝部の上端より延びた持上げ突片により構成され、取付杆の裏面と当接されるようになっている。
【発明の効果】
【００１５】
請求項１に記載の樋支持具によれば、取付杆の基部片が凹溝体で構成され、その凹溝体を取付基板の凹溝部に嵌合、接合する構造になっているため、両者の接合強度は高められる。特に、このような構造とすることで、取付杆および取付基板を薄肉化でき、それによってリベットによる締結の強度も増す。さらに、薄肉にできることで材料コストの低減化が図れる。また、同樋支持具は、基部片を取付基板の凹溝部に嵌合したときに溝長手方向の位置決めをするための当止め部が形成されているため、組立ての際に両者の位置決めをきわめて容易かつ迅速に行える。
【００１６】
請求項２に記載の樋支持具によれば、取付杆には基部片より延出された支持片の両側端に一対の突条リブが形成されているため、全長にわたって補強構造とすることができる。
【００１７】
請求項３に記載の樋支持具によれば、当止め部が突条リブの基部片側の終端部で構成され、取付基板の上端と当接して位置決めできるようになっているため、取付杆と取付基板の連結の際の位置決め作業が迅速に行える。
【００１８】
請求項４に記載の樋支持具によれば、当止め部が凹溝部の上端より延びた持上げ突片により構成されているため、請求項３の発明と同様に位置決め作業が迅速に行える。
【発明を実施するための最良の形態】
【００１９】
以下に、本発明の実施の形態について、添付図面を参照しながら説明する。
【００２０】
図１は、本発明の第１の実施形態として示される樋支持具における、取付杆と取付基板との連結構造を示す斜視図であり、図１（ａ）は分離された状態、図１（ｂ）は連結された状態を示している。図２は、取付杆と取付基板との連結状態を示す図であり、図２（ａ）は図１（ｂ）のＹ方向から見た図（右側面図）、図２（ｂ）は図２（ａ）に対する部分底面図である。以下の図およびその説明においても、図１（ｂ）のＸ方向から見たものを正面として、他の方向を規定している。
【００２１】
また、図３および図４は、取付杆の構造を説明するための図で、図３（ａ）は取付杆の正面図、図３（ｂ）は平面図、図３（ｃ）は図３（ａ）のＡ−Ａ線の拡大断面図であり、図４（ａ）は右側面図、図４（ｂ）は図３（ａ）のＢ−Ｂ線の拡大断面図である。図５は、同樋支持具の雨樋支持の態様を示した斜視図である。
【００２２】
この樋支持具１は、図５に示すように、軒樋用の雨樋Ｔに直接取り付けて雨樋Ｔを上方より吊り支持する樋支持具本体３０と、樋支持具本体３０を連結、支持する取付杆２０と、取付杆１０を軒先等の被取付体に固定するための取付基板２０とよりなる。
【００２３】
樋支持具本体３０は、図５に示すように、取付杆１０との連結用に本体板３１に長孔３２を備え、取付杆１０との連結位置を、長孔３１内のスライドによって変えることで、軒樋用の雨樋Ｔの軒先からの出具合の調節を可能としている。また、取付杆１０との連結は、長孔３２を介して取付杆１０にボルト止めした、水平方向に回転可能な回転ロックレバー３３よりなされる。
【００２４】
樋支持具１は、このように一体化された状態で、本体板３１の前後端に設けた樋掛止部３４、３４によって雨樋Ｔを吊り支持する構造となっている。なお、図５中のＳは軒先に固定するための取付具である。
【００２５】
また、図１および図３などに示すように、取付杆１０は、長板状のステンレス材、鋼材等の金属材を略Ｌ字状に折曲して形成されており、軒先等に取り付けたときに略水平となる支持片１２と、取り付けたときに略垂直となる基部片１１とより構成されている。支持片１２の端部（段落ち形成された連結部１２ｂ）は樋支持具本体３０と長孔３２を介してボルト等で連結され、基部片１１は軒先、壁等に固定される取付基板２０の凹溝部２１に嵌合され、リベットＲで締結されている。なお、両者の締結はボルト、ナットによってもよい。
【００２６】
なお、図１等に示した符号１２ｂａは、取付杆１０の連結部１２ｂに設けた、樋支持具本体３０を連結するためのボルト止め用の連結孔である。また、図１等に示した符号２２ａは、取付基板２０の両翼部２２、２２を軒先等に固着させるための取付孔である。
【００２７】
これら樋支持具本体３０、取付杆１０、取付基板２０の各部材が連結されて一体となった樋支持具１は、取付基板２０をネジなどの取付具Ｓで軒先等に取り付けて、軒先等に固定され、その状態で雨樋Ｔの前後を引掛けた状態に吊り支持する構造となっている。
【００２８】
本実施形態では、図１に示すように、取付杆１０と取付基板２０とを接合、締結するためのそれぞれの接合部位は、取付杆１０では凹溝体よりなる基部片１１により構成され、取付基板２０では中央に位置する凹溝部２１により構成されている。また、凹溝体１１、凹溝部２１には、両者をリベット締結するための締結孔１１ｃ、２１ｃが開設されている。
【００２９】
取付杆１０の基部片１１は、取付基板２０の凹溝部２１の底部２１ａ（内底面）に密着接合される、上記締結孔１１ｃを有した底板部１１ａと、この底板部１１ａの幅方向の両側端より、取付基板２０の凹溝部２１とは反対側に突設された一対のリブ片１１ｂ、１１ｂとよりなる。つまり、図３（ｃ）に示すように、基部片１１の横断面はコ字形状となっている。
【００３０】
また、取付基板２０の凹溝部２１は、取付基板２０を取り付ける軒先等の外側方向に突出するように、中央部が凹み形成されてなり、その凹溝部２１の底部２１ａには上記締結孔２１ｃが形成されている。これら取付杆１０と取付基板２０とは、凹溝体よりなる基部片１１を取付基板２０の凹溝部２１に嵌合し位置決めし、重合された締結孔１１ｃ、２１ｃをリベット止めすることで締結される（以上、図１、図２を参照）。
【００３１】
また、一対のリブ片１１ｂ、１１ｂは、図２（ｂ）に示すように、基部片１１を取付基板２０の凹溝部２１に嵌合した後に、取付基板２０の両翼部２２、２２よりも突出しないように、凹溝部２１の側壁２１ｂとほぼ同一の高さか、それよりもやや低く形成することが望ましい。また図例では、取付基板２０の凹溝部２１の底部２１ａは、凹溝体１１の底板部１１ａと幅寸法が合致しているが、凹溝部２１の側壁２１ｂは、やや開口側に広がるようにテーパ状に形成されている。
【００３２】
なお、一対のリブ片１１ｂ、１１ｂは、基部片１１の断面がコ字形状となるものでなくてもよく、少なくとも底部どうしが密着接合でき、リブ片１１ｂ、１１ｂを設けることで所定の強度が得られ、かつ中央でリベット締結できるものであれば、リブ片は端部に形成されなくてもよい。例えば、リブ片を底板部１１ａの両側端よりも内側の位置から突出させたものであってもよい。
【００３３】
また、図１、図２および図３に示すように、取付杆１０の支持片１２の幅方向の両側端には、支持片１２の全長にわたって、一対の突条リブ１２ａ、１２ａが形成されている。この突条リブ１２ａ、１２ａは、図４に示すように、支持片１２の両側を湾曲させて、その湾曲部を上方に突出させたもので、支持片１２を強化させる作用を有している。そして、突条リブ１２ａ、１２ａは基部片１１側にも折曲延設されて、その折曲部１２ａｂからわずかに下方に延びて終端部１２ａａが形成されている。
【００３４】
この突条リブ１２ａ、１２ａの終端部１２ａａは、取付杆１０の凹溝体１１を取付基板２０の凹溝部２１に嵌め入れた際に、取付基板２０の上端部、より具体的には凹溝部２１の側壁２１ｂの上端面２１ｂａに当接する。すなわち、この終端部１２ａａは、取付杆１０の凹溝体１１と取付基板２０の凹溝部２１との嵌合の際に溝長手方向の位置決めをするための当止め部１５を構成している。
【００３５】
このようにして、取付杆１０の基部片１１と取付基板２０の凹溝部２１とは、当止め部１５によって２つの締結孔１１ｃ、２１ｃが合致するように位置決めされ、かつ取付基板２０の回転が防止された状態で、重合され、その後、両部材はリベットＲでカシメ締結される。
【００３６】
以上のように、本実施形態に示した取付杆１０の基部片１１と取付基板２０の凹溝部２１の構造によれば、凹溝どうしを重合、接合する構造となっているため、両者の接合強度は高められる。特に、このような強度を向上する構造としたことで、取付杆１０および取付基板２０の薄肉化を図ることができ、それによってリベットＲによる両部材の締結強度も増強することができる。さらに、薄肉にできることで材料コストの低減化が図れる。
【００３７】
また、本実施形態では、取付基板２０の凹溝部２１の側壁２１ｂが凹溝体１１を遊嵌させるようなテーパ状の形状となっているが、このような遊嵌による嵌合であっても、取付杆１０に形成された当止め部１５によって溝長手方向の位置決めが容易にできるので、圧入によるものよりもむしろ接合作業は効率よく行える。
【００３８】
ついで、本発明の第２の実施形態について、図６を参照しながら説明する。
【００３９】
図６は、本実施形態の樋支持具の説明図であり、図６（ａ）は樋支持具を構成する取付杆と取付基板の分離状態を示す図、（ｂ）は連結された状態を示す図である。なお、これらの図も図１（ｂ）のＸ方向から見たものを正面図としたもので、右側面図を示している。また、本実施形態における樋支持具本体およびその構成部については、第１の実施形態に示したものと同様であるため、図示を省略している。
【００４０】
この樋支持具１Ａ（樋支持具本体の図示は省略）は、取付杆１０および取付基板２０の形状が第１の実施形態で示したものと異なる。すなわち、取付杆１０については、支持片１２の両側部に形成された突条リブ１２ａが基部片１１側には延びておらず、また取付基板２０については、凹溝部２１の底部２１ａの上端より上方に延びた持上げ突片２１ｃが形成されている。
【００４１】
この樋支持具１Ａの構造によれば、取付杆１０の凹溝体１１と取付基板２０の凹溝部２１とを重合する際には、取付基板２０の持上げ突片２１ｃが当止め部２５を構成して、支持片１１の裏面１１ｄに当接されることで位置決めがなされる。
【００４２】
このように、本実施形態の樋支持具１Ａによっても、２つの締結孔１１ｃ、２１ｃの一致によらず、このように図６に示した上下方向からの重合によって簡易に位置決めができ、効率よく作業が行える。また、持上げ突片２３を設けただけの構造であるため、製造も容易に行える。
【００４３】
なお、図６に示すように、本実施形態においても、取付杆１０と取付基板２０とは、基部片１１を構成する凹溝体と凹溝部２１とを重合、接合して連結する構造となっているため、第１の実施形態と同様に種々の強度が得られることはいうまでもない。
【図面の簡単な説明】
【００４４】
【図１】本発明の第１の実施形態として示される樋支持具の連結構造を示す斜視図であり、（ａ）は分離された状態、（ｂ）は連結された状態を示している。
【図２】同樋支持具の取付杆と取付基板との連結状態を示す図であり、（ａ）は右側面図、（ｂ）は図２（ａ）に対する部分底面図である。
【図３】（ａ）は同樋支持具の取付杆の正面図、（ｂ）は同平面図、（ｃ）は（ａ）のＡ−Ａ線の拡大断面図である。
【図４】（ａ）は同樋支持具の取付杆の右側面図、（ｂ）は（ａ）のＢ−Ｂ線の拡大断面図である。
【図５】同樋支持具の取付態様を示した斜視図である。
【図６】本発明の第２の実施形態の説明図であり、（ａ）は樋支持具を構成する取付杆と取付基板の分離状態を示す図、（ｂ）は連結された状態を示す図である。
【図７】従来の樋支持具の構造を示した説明図である。
【符号の説明】
【００４５】
１      樋支持具
１０      取付杆
１１      基部片
１１ａ      底板部
１１ｂ      リブ片
１１ｃ      締結孔
１２      支持片
１２ａ      突条リブ
１２ｂ      連結部
１２ａａ      突条リブの終端部
１２ａｂ      折曲部
１５      第１の実施形態における当止め部
２０      取付基板
２１      凹溝部
２１ａ      底部
２１ｂ      側壁
２１ｃ      持上げ突片
２２      両翼片
２５      第２の実施形態における当止め部
３０      樋支持具本体
Ｔ      雨樋
【図１】
2010106518.tif 000003
【図２】
2010106518.tif 000004
【図３】
2010106518.tif 000005
【図４】
2010106518.tif 000006
【図５】
2010106518.tif 000007
【図６】
2010106518.tif 000008
【図７】
2010106518.tif 000009
【手続補正書】
【提出日】平成21年4月9日(2009.4.9)
【手続補正１】
【補正対象書類名】明細書
【補正対象項目名】００２２
【補正方法】変更
【補正の内容】
【００２２】
この樋支持具１は、図５に示すように、軒樋用の雨樋Ｔに直接取り付けて雨樋Ｔを上方より吊り支持する樋支持具本体３０と、樋支持具本体３０を連結、支持する取付杆１０と、取付杆１０を軒先等の被取付体に固定するための取付基板２０とよりなる。
【手続補正２】
【補正対象書類名】明細書
【補正対象項目名】００２３
【補正方法】変更
【補正の内容】
【００２３】
樋支持具本体３０は、図５に示すように、取付杆１０との連結用に本体板３１に長孔３２を備え、取付杆１０との連結位置を、長孔３２内のスライドによって変えることで、軒樋用の雨樋Ｔの軒先からの出具合の調節を可能としている。また、取付杆１０との連結は、長孔３２を介して取付杆１０にボルト止めした、水平方向に回転可能な回転ロックレバー３３よりなされる。
【手続補正３】
【補正対象書類名】明細書
【補正対象項目名】００２８
【補正方法】変更
【補正の内容】
【００２８】
本実施形態では、図１に示すように、取付杆１０と取付基板２０とを接合、締結するためのそれぞれの接合部位は、取付杆１０では凹溝体よりなる基部片１１により構成され、取付基板２０では中央に位置する凹溝部２１により構成されている。また、凹溝体よりなる基部片１１、凹溝部２１には、両者をリベット締結するための締結孔１１ｃ、２１ｃが開設されている。
【手続補正４】
【補正対象書類名】明細書
【補正対象項目名】００３４
【補正方法】変更
【補正の内容】
【００３４】
この突条リブ１２ａ、１２ａの終端部１２ａａは、取付杆１０の凹溝体１１を取付基板２０の凹溝部２１に嵌め入れた際に、取付基板２０の上端部、より具体的には凹溝部２１の側壁２１ｂの上端面２１ｂａに当接する。すなわち、この終端部１２ａａは、取付杆１０の凹溝体よりなる基部片１１と取付基板２０の凹溝部２１との嵌合の際に溝長手方向の位置決めをするための当止め部１５を構成している。
【手続補正５】
【補正対象書類名】明細書
【補正対象項目名】００４１
【補正方法】変更
【補正の内容】
【００４１】
この樋支持具１Ａの構造によれば、取付杆１０の凹溝体１１と取付基板２０の凹溝部２１とを重合する際には、取付基板２０の持上げ突片２３が当止め部２５を構成して、支持片１１の裏面１１ｄに当接されることで位置決めがなされる。
【手続補正６】
【補正対象書類名】明細書
【補正対象項目名】００４５
【補正方法】変更
【補正の内容】
【００４５】
１      樋支持具
１０      取付杆
１１      基部片
１１ａ      底板部
１１ｂ      リブ片
１１ｃ      締結孔
１２      支持片
１２ａ      突条リブ
１２ｂ      連結部
１２ａａ      突条リブの終端部
１２ａｂ      折曲部
１５      第１の実施形態における当止め部
２０      取付基板
２１      凹溝部
２１ａ      底部
２１ｂ      側壁
２２      両翼片
２３      持上げ突片
２２      両翼片
２５      第２の実施形態における当止め部
３０      樋支持具本体
Ｔ      雨樋
【手続補正７】
【補正対象書類名】図面
【補正対象項目名】図６
【補正方法】変更
【補正の内容】
【図６】
2010106518.tif 000010
【手続補正８】
【補正対象書類名】図面
【補正対象項目名】図７
【補正方法】変更
【補正の内容】
【図７】
2010106518.tif 000011